(57)【要約】      （修正有）【課題】吊架した足場ユニットに予期せぬ外力が加わっても、同足場ユニットにかかる負荷を軽減し、足場ユニットが破損・変形したり、空中分解して落下するのを防止できると共に、取付作業も簡単な足場ユニット用玉掛吊具を提供する。【解決手段】足場ユニット用玉掛吊具を、足場ユニットの上部に配置され、ワイヤーロープを足場ユニットの前後に導く左右一対の横梁部材と、足場ユニットの前後側面に配置され、足場ユニットの前後に導かれたワイヤーロープの下端が接続された筒体１３と、この筒体１３に移動自在に設けられた足場ユニットの各建枠と連結するための複数の連結部材１４とを備えた前後一対の横桟部材１２とから構成する。【選択図】図４
0003146998.tif 000002
【実用新案登録請求の範囲】
【請求項１】
建枠を左右方向に数列、上下方向に数層に連結してなる足場ユニットを吊架する際に用いられる足場ユニット用玉掛吊具であって、
足場ユニットの上部に前後方向に配置され、同足場ユニットの前後幅よりも長く構成すると共に、その両端部に同足場ユニット前後幅と略同一若しくは若干幅広間隔とした上下方向に貫通する挿通孔を形成し、この挿通孔を介してワイヤーロープを足場ユニットの前後側面に沿わせる方向に導く左右一対の横梁部材と、
足場ユニットの前後側面に配置され、両端部に足場ユニットの前後に導かれたワイヤーロープの下端が接続された筒体と、この筒体に移動自在に設けられた足場ユニットの各建枠と連結するための複数の連結部材とを備えた前後一対の横桟部材と、
から構成してなる事を特徴とする足場ユニット用玉掛吊具。
【請求項２】
上記横梁部材の挿通孔部位に、ワイヤーロープをロックするロック手段を設けた事を特徴とする請求項１記載の足場ユニット用玉掛吊具。
【請求項３】
上記横桟部材の筒体は、大小の筒体を嵌め合わせた構成とし、小なる筒体を大なる筒体から引き出して長さ調整可能とした事を特徴とする請求項１又は請求項２に記載の足場ユニット用玉掛吊具。
【請求項４】
上記ワイヤーロープは、足場ユニットの前側と後側により長さを異ならしめた事を特徴とする請求項１乃至請求項３のいずれかに記載の足場ユニット用玉掛吊具。
【請求項５】
上記前後一対の横桟部材の内いずれか一方に、足場ユニットの全幅に絡めるための補助ワイヤーロープを設けた事を特徴とする請求項１乃至請求項４のいずれかに記載の足場ユニット用玉掛吊具。
【考案の詳細な説明】
【技術分野】
【０００１】
本考案は、建枠を左右方向に数列、上下方向に数層に連結してなる足場ユニットを吊架する際に用いられる足場ユニット用玉掛吊具に関するものである。
【背景技術】
【０００２】
一般に、高層ビルや住宅等の建築物の建設・補修工事、高速道路の橋げた等の構造物の建設工事等には、建築あるいは構造物に沿って枠組み足場が組み立てられる。
近年、この枠組み足場の組み立て方法として、少ない労働力で効率的かつ短期間に組み立てるため、例えば特開平５−２８７８９７号公報(特許文献１)、特許第２５８７０３３号公報（特許文献２）、 特開平７−１８８４１号公報(特許文献３)、特開２００３−１３８７４２号公報(特許文献４)等に示されるビテイ式枠組み足場により組み立てる方法が採用されるようになってきた。
【０００３】
これは、図１１に示すように建枠（門型または棒状）、足場板、交差筋かい部材を用い、予め地上において足場の左右方向の長さを３〜５スパン、上下方向の高さを３〜４層位の大きさで連結した足場ユニット１０１を組み立てておき、この足場ユニット１０１をクレーン１０２で吊り上げ、これを水平方向に多列、垂直方向に多層連結して枠組み足場１００を構築する方法である。
【０００４】
また、解体時には、枠組み足場１００を上記同様長さを３〜５スパン、高さを３〜４層位の大きさの足場ユニット１０１に連結解除し、この足場ユニット１０１をクレーン１０２で吊架して地上に降ろし、地上で適宜分解して解体する。
【０００５】
ここで、上記足場ユニット１０１をクレーン１０２で吊り上げる場合には、一般に図１１（イ）、（ロ）に示す如く、２本のワイヤーロープ１０４をそれぞれ足場ユニット１０１の左右の建枠間（スパン間）に前後から掛け渡し、その両端をクレーン１０２のフック１０３に引掛けて引き上げ吊り上げるようにしている。
【０００６】
また、足場ユニット用玉掛吊具として、特許文献３に示すような吊支部材も提案されている。これは、特許文献３に示すように、縦方向に延びる支持杆に対して垂直水平方向に延びる８本の吊下体を固定し、支持杆の長手方向中央部にワイヤーロープ等が引っ掛けられる引掛部を取り付けたもので、８本の吊下体にそれぞれ足場ユニット最上層の建枠上端部を鎖状体やワイヤーロープ等の可撓性条体を介して吊り上げ支持するようにしたものである。
【特許文献１】特開平５−２８７８９７号公報
【特許文献２】特許第２５８７０３３号公報
【特許文献３】特開平７−１８８４１号公報
【特許文献４】特開２００３−１３８７４２号公報
【考案の開示】
【考案が解決しようとする課題】
【０００７】
しかしながら、従来のワイヤーロープを用いて吊り上げるものにおいては、単一のクレーンのフックから放射状に垂下された複数のワイヤーロープにて足場ユニットを吊り上げる形態のものであり、吊り上げる足場ユニットに内側方向の力が作用するため、（１）ワイヤーロープの長さ、（２）左右のワイヤーロープの角度、（３）ワイヤーロープの取付位置などに十分注意を払うと共に、ゆっくり吊り上げて作業を行わないとバランスが崩れ大きな事故につながる恐れがあるものであった。  また、吊支部材を用いて吊り上げるものにおいては、（１）可撓性条体の長さ、（２）可撓性条体の取付位置などに十分注意を払うと共に、同じくゆっくり吊り上げて作業を行わないと、バランスが崩れ大きな事故につながる恐れがあるものであった。
【０００８】
例えば、吊り上げた足場ユニットに予期せぬ風圧や、急な上げ下げ操作時のショック等が加わると、足場ユニット１０１が大きく揺れ、その際の大きな負荷が足場ユニット１０１に加わると共に、バランスが崩れてしまうことがあった。特にワイヤーロープを用いて吊り上げるものにあっては図１２に示すようにワイヤーロープ１０４が建枠間（スパン間）でずれてしまい足場ユニットが傾向いてバランスが崩れてしまうことがあった。
いずれにおいても、足場ユニット１０１にはその一部に内側方向及び垂直方向の強い力が加わるため、足場ユニット１０１の破損・変形を招いたり、その衝撃により足場ユニット１０１を構成する建枠、足場板、交差筋かい部材の連結が外れ、図１３に示す如く足場ユニット１０１が２つに分裂したり、更には図１４に示す如く空中分解して落下し、その下で作業を行っている作業者が大怪我をする大事故を招くといった問題を有していた。
本考案は上記従来の問題点に鑑みなされたもので、ワイヤーロープの吊架構成を工夫して吊架する足場ユニットに内側方向の力が発生しないように構成することにより、吊り上げた足場ユニットに予期せぬ風圧や、ショック等の外力が加わり、同足場ユニットが揺れたり、足場ユニットが傾向いても、同足場ユニットにかかる負荷を軽減し、足場ユニットが破損・変形したり、空中分解して落下するのを防止できると共に、取付作業も簡単な足場ユニット用玉掛吊具を提供するものである。
【課題を解決するための手段】
【０００９】
本考案は、左右方向に建枠を数列、上下方向に数層に連結してなる足場ユニットを吊架する際に用いられる足場ユニット用玉掛吊具を、足場ユニットの上部に前後方向に配置され、同足場ユニットの前後幅よりも長く構成すると共に、その両端部に同足場ユニット前後幅と略同一若しくは若干幅広間隔とした上下方向に貫通する挿通孔を形成し、この挿通孔を介してワイヤーロープを足場ユニットの前後側面に沿わせる方向に導く左右一対の横梁部材と、足場ユニットの前後側面に配置され、両端部に足場ユニットの前後に導かれたワイヤーロープの下端が接続された筒体と、この筒体に移動自在に設けられた足場ユニットの各建枠と連結するための複数の連結部材とを備えた前後一対の横桟部材とから構成するようにしたことを最も主要な特徴とする。
【００１０】
第２に、横梁部材の挿通孔部位に、ワイヤーロープをロックするロック手段を設けたことを特徴とする。
【００１１】
第３に、横桟部材の筒体は、大小の筒体を嵌め合わせた構成とし、小なる筒体を大なる筒体から引き出して長さ調整可能としたことを特徴とする。
【００１２】
第４に、ワイヤーロープは、足場ユニットの前側と後側により長さを異ならしめたことを特徴とする。
【００１３】
第５に、前後一対の横桟部材の内いずれか一方に、足場ユニットの全幅に絡めるための補助ワイヤーロープを設けたことを特徴とする。
【考案の効果】
【００１４】
本考案の足場ユニット用玉掛吊具は、前後から足場ユニット中央部の各建枠にしっかり連結されると同時に、両横梁部材・横桟部材にて足場ユニットと足場ユニット用玉掛吊具本体とを一体化して保持、即ち加わった負荷を足場ユニット用玉掛吊具本体と足場ユニット全体で受け止めることができ、これにより足場ユニットのバランスが崩れたり、足場ユニットに破損・変形、更には足場ユニットが分裂若しくは空中分解して落下するのを防止することができるという利点がある。
【００１５】
第２に、ワイヤーロープをロックするロック手段を設けることにより、横桟部材の高さ位置を所定位置に固定し、吊り下げ時横梁部材及び横桟部材と共に足場ユニットの中央を前後上下から更に一段と固定保持させることができるという利点がある。
【００１６】
第３に、筒体を長さ調整可能としてなるので、各足場ユニットの大きさに応じた長さに適宜変更し、足場ユニット中央部の建枠と連結結合できるという利点がある。
【００１７】
第４に、足場ユニットの前側と後側によりワイヤーロープの長さを異ならしめることにより、足場ユニットを傾かせて前後順番に片側ずつ上下の建枠の嵌合作業を行わせることができ、作業効率を著しく向上できるという利点がある。
【００１８】
第５に、補助ワイヤーロープを設け、この補助ワイヤーロープを足場ユニット全幅に絡めることにより、足場ユニットの組み立て作業時の連結が不十分、且つ横桟部材の連結部材を一部怠たり、吊り上げた足場ユニットが分裂したとしても、この補助ワイヤーロープにて分裂した足場ユニットの落下を防止し速やかに地上に降下させることが可能となるという利点がある。
【考案を実施するための最良の形態】
【００１９】
吊り上げられた足場ユニットが予期せぬ外力が加わって揺れたり傾向いたとしても、同足場ユニットにかかる負荷を軽減し、破損・変形更には空中分解するのを防止できると共に、取付作業も簡単な足場ユニット用玉掛吊具を、極めて簡単な構成にて実現した。以下本考案について図を用いて詳細に説明する。
【実施例１】
【００２０】
図１は本考案における足場ユニット用玉掛吊具を用いて足場ユニットを吊り上げた状態を示す斜視図。図２は足場ユニット用玉掛吊具の全体構造を示し、（イ）は足場ユニット用玉掛吊具の簡略正面図、（ロ）は足場ユニット用玉掛吊具の簡略側面図。図３は足場ユニット用玉掛吊具の横梁部材のロック機構を示し、（イ）はロック機構の要部斜視図、（ロ）はロック解除状態を示す要部断面図、（ハ）はロック状態を示す要部断面図である。図４は足場ユニット用玉掛吊具の横桟部材を示す斜視図。図５は足場ユニットとの結合状態を示し、（イ）は足場ユニットの建枠に門型建枠を用いた場合の説明図、（ロ）は足場ユニットの建枠に棒状建枠を用いた場合の説明図。図６は図４の横桟部材の筒部の要部断面図である。
【００２１】
図１において、１は建枠（門型または棒状）２、足場板３、交差筋かい部材４を用いて組み立てられた足場ユニットで、地上において左右方向の長さを３〜５スパン、上下方向の高さを３〜４層位の大きさで組み立てられる。同図１では長さを５スパン、高さを３層の大きさで組み立てられたものを示している。
【００２２】
７はこの足場ユニット１を吊り上げるための足場ユニット用玉掛吊具本体、８は図１及び図２に示すようにその中央部をクレーン５のフック６に引っ掛けられた一対のワイヤーロープで、クレーン５のフック６よりの長さを４本ともに略同一としてもよいが、図７に示すように足場ユニット１に対して前側に導かれるワイヤーロープ８aと後側に導かれるワイヤーロープ８ｂとの長さを若干異ならしめている。
【００２３】
９は足場ユニット１上部に配置された左右一対の横梁部材で、図７に示すようにその長さＬを足場ユニット１の前後幅Ｄよりも長く構成すると共に、その両端部に同足場ユニット１前後幅Ｄと略同一若しくは若干幅広間隔とした挿通孔１０を形成し、上記ワイヤーロープ８をこの挿通孔１０を介して足場ユニット１の前後に導くようにしている。
【００２４】
１１は上記横梁部材９の挿通孔１０部位に設けたロック機構で、上下方向に貫通した挿通孔１０を挟んで配置したガイド部１１ａと回動部１１ｂとから構成し、図３（イ）及び（ロ）に示す如く回動部１１ｂを垂直に起こすと、ガイド部１１ａと回動部１１ｂとの間に所要の隙間が形成されるため、ワイヤーロープ８がフリーとなって横梁部材９を自由に上げ下げできる状態となる。また、図３（ハ）に示す如く回動部１１ｂを回動して倒すと、回動部１１ｂの角部がガイド部１１ａに当接しさらに押圧して両者でワイヤーロープ８を挟持するため、横梁部材９は所定位置にロックされる。このように、横梁部材９はワイヤーロープ８の前後幅を規制する機能を有することにより、クレーン５のフック６でワイヤーロープ８を吊架した場合に、横梁部材９より下部のワイヤーロープ８は垂直に垂下することとなって内側に引き寄せる力が作用しないこととなる。
【００２５】
１２は足場ユニット１の側面に配置された前後一対の横桟部材で、図４に示すようにそれぞれ両端部に足場ユニット１の前後に導かれたワイヤーロープ８の下端が接続された筒体１３と、この筒体１３に設けられた足場ユニット１と連結するための例えば布製のループ状の輪体からなる連結部材１４とから大略構成している。なお、前後一対の横桟部材１２は、必要に応じてそれぞれ筒体１３を異なる色（例えば赤色と青色）として、作業上前後いずれかの横桟部材１２であるか判別可能としている。
【００２６】
また、上記筒体１３は図６に示すように径大の筒体１３ａ内に径小の筒体１３ｂを差し込んだもので、足場ユニット１の横幅に応じて径小の筒体１３ｂを引き出し長さ調整可能としている。なお、図４では径大の筒体１３ａの両端より径小の筒体１３ｂを差し込むようにしているが、左右いずれか一方のみに径小の筒体１３ｂを差し込む構成であってもよい。１３ｃは大小の筒体１３ａ、１３ｂにそれぞれ形成した係止孔で、図６に示すように径小の筒体１３ｂを引き出して筒体１３の長さを調整する際に、両筒体１３ａ、１３ｂの係止孔１３ｃを合致せしめ、この合致した係止孔１３ｃにピン１３ｄを差し込んで両者を固定するようにしている。
【００２７】
また、上記連結部材１４は、足場ユニット１中央部において均等に建枠２と結合できるように複数個、例えば図４に示す如く５個設けられ、上記筒体１３に移動自在に設けられた可動部材１４ａと、同可動部材１４ａに設けられたフック１４ｂと、このフック１４ｂに設けた例えば布製のループ状の輪体からなる結束帯１４ｃとから構成している。なお、長さを調節された筒体１３において、可動部材１４ａを足場ユニット１中央を基準に左右均等となるようにして各建枠２部位にそれぞれ移動せしめ、図５に示す如く結束帯１４ｃを建枠２に巻き付け結束する。例えば建枠２が門型の場合には同図５（イ）の如く門型建枠２上部の補強管２１が存在する部分に、建枠２が棒状の場合には同図５（ロ）の如く棒状建枠２の鍔部２２部位に巻き付けて、両者を結合する。このように、横桟部材１２は複数の連結部材１４にて各建枠２を均等に連結し足場ユニット１と一体化することができる。
【００２８】
１５は図４に示すように上記横桟部材１２に設けられたガイドロープ、１６は前後一対の横桟部材１２の内いずれか一方に設けられた足場ユニット１を絡めるための一対の補助ワイヤーロープである。
【００２９】
その吊り上げ作業について以下説明する。
先ず、建枠（門型または棒状）２、足場板３、交差筋かい部材４を用い、例えば足場の左右方向の長さを５スパン、上下方向の高さを１層の大きさの下部足場ユニット１ａと、足場の長さを５スパン、高さを２層の大きさの上部足場ユニット１ｂとを予め地上において組み立てておく。
そして、クレーン５のフック６にワイヤーロープ８を引っ掛けて足場ユニット用玉掛吊具本体７を吊り上げ、ガイドロープ１５を前後に引いて横桟部材１２を広げるようにして上部足場ユニット１ｂの上部より降ろし被せる。これにより、横梁部材９は上部足場ユニット１ｂの上面左右に前後方向に沿って配置される一方、横桟部材１２は上部足場ユニット１ｂの前後側面に沿わせる方向に配置されることになる。
【００３０】
次に、横梁部材９のロック機構１１の回動部１１ｂを垂直に起こしてロック解除し、ワイヤーロープ８をフリーにして結束帯１４ｃが上部足場ユニット１ｂの下段建枠２の上部部分（中央の門型建枠２上部の補強管２１が存在する部分）に巻き付けできる位置に横桟部材１２の高さ位置を調節した後、上記ロック機構１１の回動部１１ｂを倒してワイヤーロープ８をロックし同高さ位置に固定する。
【００３１】
しかる後、横桟部材１２の径小の筒体１３ｂを径大の筒体１３ａから引き出して所要長さに筒体１３を調整しながら両筒体１３ａ、１３ｂの係止孔１３ｃを合致せしめ、この合致した係止孔１３ｃにピン１３ｄを差し込んで両者を固定すると共に、横桟部材１２の連結部材１４の可動部材１４ａを左右均等となるようにして足場ユニット１の各建枠２部位に移動し、図５に示す如く結束帯１４ｃを同建枠２に巻き付けその両端をフック１４ｂに引掛けて両者を前後共に結合し、上部足場ユニット１ｂと横桟部材１２とを一体固定化する。この際、横桟部材１２は横梁部材９のロック機構によりその高さ位置が固定され、同横桟部材１２は連結部材１４にて上部足場ユニット１ｂの建枠に前後から結束結合されているので、上記横梁部材９及び横桟部材１２は上部足場ユニット１ｂにしっかりと固定された状態、即ち足場ユニット用玉掛吊具本体７と上部足場ユニット１ｂとは強固に一体化されることとなる。
【００３２】
次に、クレーン５で引き上げ足場ユニット用玉掛吊具本体７を介して上部足場ユニット１ｂを吊り上げ、図７に示す如く下部足場ユニット１ａの上へ降下させて上下両者の建枠２を連結し、左右方向の長さを５スパン、上下方向の高さを３層の大きさの足場ユニット１とする。これにより、今度は足場ユニット用玉掛吊具本体７と足場ユニット１とは強固に一体化された状態を保持することになる。そして、横桟部材１２に設けた一対の補助ワイヤーロープ１６を図１に示すように足場ユニット１の左右それぞれに亘って絡めた後、同じくクレーン５で引き上げ足場ユニット用玉掛吊具本体７を介して足場ユニット１を吊り上げ、下側の足場ユニット１の上に降ろして上下両者の建枠２を連結する。そして、補助ワイヤーロープ１６及び連結帯１４ｃを解いて足場ユニット用玉掛吊具本体７を取り外す。この作業を繰り返して最終的に水平方向に多列、垂直方向に多層連結して枠組み足場を構築する。
【００３３】
なお、横梁部材９に形成した挿通孔１０は足場ユニット１の前後幅Ｄと略同一若しくは若干幅広間隔としているので、足場ユニット１吊り上げ時に横梁部材９より下部に垂下されるワイヤーロープ８には内側方向に寄せる力が作用しないので、同足場ユニット１の上部稜線部を挟んで内側方向に絞み込むことはなく、同稜線部位に負荷を与えて変形や損傷を与えるのを防止できると同時に、ワイヤーロープ８自身が擦れて損傷するといった問題も未然に防止することができる。
【００３４】
また、上記ワイヤーロープ８の長さを前後のワイヤーロープ８ａ、８ｂで若干異ならしめているので、図７（ロ）に示す如く吊り上げた足場ユニット１を前後方向に若干傾かせることができ、例えば前側の上方の建枠２ｂ下端をその下の建枠２ａ上端と嵌合結合した後、ワイヤーロープ８を多少緩めて後側の上方の建枠２ｂ下端をその下の建枠２ａ上端と嵌合結合することができる。よって、全ての建枠２を同時に嵌合結合しようとしても全建枠２の上下位置が合致せず嵌合作業に過大な労力を要するが、ガイドロープ１５で調整しながら片側ずつ順番に嵌合結合させることができるので作業性が著しく向上し効率的に作業を行うことができる。
【００３５】
また、吊り上げた足場ユニット１に予期せぬ風圧や急な上げ下げ時のショックが加わったとしても、前後から横桟部材１２の連結部材１４により足場ユニット１中央部の各建枠２にしっかり連結されていると同時に、横梁部材９と横桟部材１２にて足場ユニット１と足場ユニット用玉掛吊具本体７とが一体固定化され、足場ユニット用玉掛吊具本体７で足場ユニット１をしっかり保持してなるので、加わった負荷は足場ユニット用玉掛吊具本体７と足場ユニット１全体で受け止めることになり、従来のようにワイヤーロープがずれてバランスを崩したり、足場ユニット１の一部分に大きな負荷が加わって破損・変形を招いたり、更には足場ユニット１が分裂若しくは空中分解して落下するのも防止することができる。
【００３６】
仮に、足場ユニット１の組み立て作業時の連結が不十分、且つ横桟部材１２の連結部材１４を一部怠たり、吊り上げた足場ユニット１が分裂したとしても、図９に示すように補助ワイヤーロープ１６にて足場ユニット１を絡めてなるので、下に落下することはなく、速やかに地上に降下させることにより事故を未然に防止することができる。
【００３７】
なお、上記枠組み足場を解体する場合には、組み立て手順と逆の手順、即ち足場ユニット用玉掛吊具本体７を装着した後、左右方向の長さを３〜５スパン、上下方向の高さを３〜４層位の大きさの足場ユニット１に分離し、これを図１０に示すようにクレーン５で吊り下げて地上に下ろし、同足場ユニット１を必要に応じて上下に１〜２層に分離し、それぞれの足場ユニットを適宜解体する。
また、上記実施例においては、補助ワイヤーロープ１６を２本設け、それぞれ足場ユニット１の左半分と右半分に絡めるようにしたが、多少長さが長くなり扱い難いが1本の補助ワイヤーロープ１６とし、この補助ワイヤーロープ１６を足場ユニット１の全幅に亘って絡めるようにしてもよい。
また、上記足場ユニット用玉掛吊具本体７は極めて簡単な構成にして安価に提供することができると共に、その装着作業も特段の作業を要することなく誰でも簡単且つ容易に行えるものである。さらに、横桟部材１２の筒体１３の色を前後で異ならしめると、作業する際にその確認や指示がし易くより作業性を高めることができるものである。
【産業上の利用可能性】
【００３８】
建築あるいは構造物に沿って組み立てられる枠組み足場における、建枠を数列、数層に連結してなる足場ユニットを吊り上げる際に用いられる玉掛吊具全般に適用できる。
【図面の簡単な説明】
【００３９】
【図１】本考案における足場ユニット用玉掛吊具を用いて足場ユニットを吊り上げた状態を示す斜視図である。
【図２】本考案における足場ユニット用玉掛吊具の全体構造を示し、（イ）は足場ユニット用玉掛吊具の簡略正面図、（ロ）は足場ユニット用玉掛吊具の簡略側面図である。
【図３】本考案における足場ユニット用玉掛吊具の横梁部材のロック機構を示し、（イ）はロック機構の要部斜視図、（ロ）はロック解除状態を示す要部断面図、（ハ）はロック状態を示す要部断面図である。
【図４】本考案における足場ユニット用玉掛吊具の横桟部材を示す斜視図である。
【図５】本考案における足場ユニットとの結合状態を示し、（イ）は足場ユニットの建枠に門型建枠を用いた場合の説明図、（ロ）は足場ユニットの建枠に棒状建枠を用いた場合の説明図である。
【図６】図４の横桟部材の筒部の要部断面図である。
【図７】本考案における足場ユニット用玉掛吊具を用いて吊り上げ上下の足場ユニットを連結する状態を示し、（イ）は簡略側面図、（ロ）は要部拡大図である。
【図８】本考案における足場ユニット用玉掛吊具を用いて吊り上げた足場ユニットが外力にて揺れた状態を示す説明図である。
【図９】本考案における足場ユニット用玉掛吊具を用いて吊り上げた足場ユニットが仮に分裂した状態を示す説明図である。
【図１０】本考案における足場ユニット用玉掛吊具を用いて足場ユニットを解体する状態を示す説明図である。
【図１１】従来のビテイ式枠組み足場により足場を組み立てる方法を示し、（イ）は概略斜視図、（ロ）は側面図である。
【図１２】従来における吊り上げられた足場ユニットがバランスを崩した状態を示す概略斜視図である。
【図１３】従来における吊り上げられた足場ユニットが分裂した状態を示す概略説明図である。
【図１４】従来における吊り上げられた足場ユニットが空中分解し落下した状態を示す概略説明図である。
【符号の説明】
【００４０】
１、１ａ、１ｂ    足場ユニット
２    建枠
３    足場板
４    交差筋かい部材
５    クレーン
７    足場ユニット用玉掛吊具本体
８、８ａ、８ｂ    ワイヤーロープ
９    横梁部材
１０    挿通孔
１１    ロック機構
１２    横桟部材
１３、１３ａ、１３ｂ    筒体
１３ｃ    係止孔
１３ｄ    ピン
１４    連結部材
１４ａ    可動部材
１４ｂ    フック
１４ｃ    結束帯
１５    ガイドロープ
１６    補助ワイヤーロープ
【図１】
0003146998.tif 000003
【図２】
0003146998.tif 000004
【図３】
0003146998.tif 000005
【図４】
0003146998.tif 000006
【図５】
0003146998.tif 000007
【図６】
0003146998.tif 000008
【図７】
0003146998.tif 000009
【図８】
0003146998.tif 000010
【図９】
0003146998.tif 000011
【図１０】
0003146998.tif 000012
【図１１】
0003146998.tif 000013
【図１２】
0003146998.tif 000014
【図１３】
0003146998.tif 000015
【図１４】
0003146998.tif 000016